(57)【要約】【課題】  冷房運転または除湿運転の終了後に行う暖房運転をより適切なものとして、暖房運転による使用者の不快感を防止または低減せしめること。【解決手段】  室内熱交換器１２と、室内送風ファン１４と、上下風向板１９とを備え、除湿運転または冷房運転の終了後、暖房運転を実行し、暖房運転では、上下風向板１９を開き、室内送風ファン１４を駆動させつつ、室内熱交換器１２の温度を４０℃以上まで上昇させる。【選択図】  図３
2020063903.tif 000002
【特許請求の範囲】
【請求項１】
室内熱交換器と、
室内送風ファンと、
上下風向板とを備え、
除湿運転または冷房運転の終了後、暖房運転を実行し、
前記暖房運転では、前記上下風向板を開き、前記室内送風ファンを駆動させつつ、前記室内熱交換器の温度を４０℃以上まで上昇させる、空気調和機。
【請求項２】
前記暖房運転における前記上下風向板の角度が、水平より上向きであることを特徴とする、請求項１に記載の空気調和機。
【請求項３】
前記暖房運転の終了後、前記上下風向板を開き、前記室内送風ファンを駆動させる送風運転を実行し、
前記暖房運転における前記上下風向板の開度が、前記送風運転における前記上下風向板の開度以下であることを特徴とする、請求項１または２に記載の空気調和機。
【発明の詳細な説明】
【技術分野】
【０００１】
本発明は空気調和機に関する。
【背景技術】
【０００２】
空気調和機が冷房運転または除湿運転（以下、冷房運転等ともいう）を行うと、冷却により室内機の内部で空気中の水分が凝結し、室内機内が高湿度となる傾向にある。高湿度環境においては、カビ等の菌類が繁殖しやすく、これらカビ等は、室内機から悪臭を生じさせたり、室内機の吹出口から放出されることでアレルギーの原因となったりするおそれがある。
【０００３】
カビの繁殖は、空間を４０℃以上に暖めて一定時間保持することで抑制可能であることが知られている。このことから、冷房運転もしくは除湿運転後、暖房運転を行うことでカビの繁殖抑制を行う空気調和機が開発されている。
【０００４】
このような技術の一例として、特許文献１には、冷房運転もしくは除湿運転を行った後、カビ防止運転として所定時間、圧縮機を停止し送風ファンだけを運転する送風運転、暖房運転、前記送風運転、除湿運転、前記送風運転の順に運転を行い、前記カビ防止運転の一部としての暖房運転は、室内熱交換器温度を暖房運転を行う直前の室温に所定の温度を足した温度に略一致するように保つ空気調和機が開示されている。
【先行技術文献】
【特許文献】
【０００５】
【特許文献１】特許第４６３３３５３号
【発明の概要】
【発明が解決しようとする課題】
【０００６】
しかしながら、特許文献１には、カビ防止運転時の暖房運転において作動させる圧縮機については、室内配管温度センサ（室内熱交換器温度センサ）で測定した室内熱交換器温度に基づいて制御され、所定時間が経過するまで動作し続けることが記載されている。
【０００７】
使用者の快不快に直接影響を及ぼすのは室温であるが、特許文献１の空気調和機は、室内熱交換器を高い温度で維持することによって室温を上昇させ続けてしまう。空気調和機の設置された被空調空間が小さい場合は、この問題がより顕著になる。
【０００８】
本発明はこのような状況に鑑みてなされたものである。
すなわち、本発明は、冷房運転または除湿運転の終了後に行う暖房運転をより適切なものとして、暖房運転による使用者の不快感を防止または低減せしめることを課題とする。
【課題を解決するための手段】
【０００９】
前記課題を解決するために、
本発明の空気調和機は、
室内熱交換器と、
室内送風ファンと、
上下風向板とを備え、
除湿運転または冷房運転の終了後、暖房運転を実行し、
前記暖房運転では、前記上下風向板を開き、前記室内送風ファンを駆動させつつ、前記室内熱交換器の温度を４０℃以上まで上昇させる。
【発明の効果】
【００１０】
本発明によれば、冷房運転または除湿運転の終了後に行う暖房運転をより適切なものとして、暖房運転による使用者の不快感を防止または低減せしめることができる。
【図面の簡単な説明】
【００１１】
【図１】本発明の第１実施形態に係る空気調和機が備える室内機、室外機、及びリモコンの正面図である。
【図２】本発明の第１実施形態に係る空気調和機が備える室内機の前面パネルを外した仰視図である。
【図３】本発明の第１実施形態に係る空気調和機が備える室内機の縦断面図である。
【図４】本発明の第１実施形態に係る空気調和機の冷媒回路を示す説明図である。
【図５】本発明の第１実施形態に係る空気調和機の機能ブロック図である。
【図６】本発明の第１実施形態に係る空気調和機の制御部が実行するカビ抑制運転のフローチャートである。
【図７】本発明の第１実施形態に係る空気調和機の制御部が実行するカビ抑制運転を示すタイムチャートである。
【図８】暖房運転時の送風ファンの運転が室内熱交換器の温度に及ぼす影響を示すグラフである。
【図９】本発明の第１実施形態に係る空気調和機の制御部が実行するカビ抑制運転を示すタイムチャートである。
【図１０】本発明の第２実施形態に係る空気調和機の制御部が実行するカビ抑制運転のフローチャートである。
【発明を実施するための形態】
【００１２】
以下に、本発明の実施形態による空気調和機を説明する。なお、各図は、本発明を十分に理解できる程度に概略的に示してあるに過ぎない。よって本発明は、図示例のみに限定されるものではない。
【００１３】
≪第１実施形態≫
＜空気調和機の構成＞
図１は、第１実施形態に係る空気調和機１００が備える室内機１０、室外機３０、及びリモコン４０の正面図である。
空気調和機１００は、冷凍サイクル（ヒートポンプサイクル）で冷媒を循環させることによって、空調を行う機器である。図１に示すように、空気調和機１００は、室内に設置される室内機１０と、屋外に設置される室外機３０と、ユーザによって操作されるリモコン４０と、を備えている。
【００１４】
室内機１０は、リモコン送受信部１１と、室内温度センサ２４ａとを備えている。
【００１５】
室内温度センサ２４ａは、例えば、室内機１０の筐体内部の図示した位置に設置され、室内機１０に吸い込まれる空気の温度に基づいて室内の温度を検出するセンサである。室内温度センサ２４ａの詳細な位置等については図２で後述する。
【００１６】
リモコン送受信部１１は、赤外線通信等によって、リモコン４０との間で所定の信号を送受信する。例えば、リモコン送受信部１１は、運転／停止指令、設定温度の変更、運転モードの変更、タイマの設定等の信号をリモコン４０から受信する。また、リモコン送受信部１１は、室内温度の検出値等をリモコン４０に送信する。
【００１７】
なお、図１では省略しているが、室内機１０と室外機３０とは冷媒配管を介して接続されるとともに、通信線を介して接続されている。
【００１８】
図２は、前面パネル１７（図３参照）を外した室内機１０の仰視図である。
室内機１０は、前記したリモコン送受信部１１（図１参照）の他に、フィルタ１６を備えている。フィルタ１６は、室内機１０に取り込まれる空気から塵埃を除去するものである。
室内温度センサ２４ａは、フィルタ１６よりも空気吸込側に設置されている。室内温度センサ２４ａを、このような位置に設置することで、後述のように室内熱交換器１２（図３参照）の温度を上昇させるとき、室内熱交換器１２（図３参照）からの熱輻射の影響によって室温の検出に誤差が生じることを抑制できる。
【００１９】
図３は、室内機１０の縦断面図である。
室内機１０は、前記したリモコン送受信部１１（図１参照）とフィルタ１６と、の他に、室内熱交換器１２と、ドレンパン１３と、送風ファン１４と、筐体ベース１５と、前面パネル１７と、左右風向板１８と、上下風向板１９と、を備えている。
【００２０】
室内熱交換器１２は、伝熱管１２ｇを通流する冷媒と、室内空気と、の熱交換が行われる熱交換器である。
ドレンパン１３は、室内熱交換器１２から滴り落ちる水を受けるものであり、室内熱交換器１２の下側に配置されている。なお、ドレンパン１３に落下した水は、ドレンホース（図示せず）を介して外部に排出される。
【００２１】
送風ファン１４は、例えば、円筒状のクロスフローファンであり、送風ファンモータ１４ａ（図５参照）によって駆動する。
筐体ベース１５は、室内熱交換器１２や送風ファン１４等の機器が設置される筐体である。
【００２２】
フィルタ１６は、室内熱交換器１２（図３参照）の上側・前側に設置されている。前面パネル１７は、前側のフィルタ１６を覆うように設置されるパネルであり、下端を軸として前側に回動可能になっている。なお、前面パネル１７が回動しない構成であってもよい。
【００２３】
左右風向板１８は、室内に向けて吹き出される空気の通流方向を、左右方向において調整する板状部材である。左右風向板１８は、送風ファン１４の下流側に配置され、左右風向板用モータ２１（図５参照）によって左右方向に回動するようになっている。
【００２４】
上下風向板１９は、室内に向けて吹き出される空気の通流方向を、上下方向において調整する板状部材である。上下風向板１９は、送風ファン１４の下流側に配置され、上下風向板用モータ２２（図５参照）によって上下方向に回動するようになっている。
【００２５】
そして、空気吸込口ｈ１を介して吸い込まれた空気が、伝熱管１２ｇを通流する冷媒と熱交換し、熱交換した空気が吹出風路ｈ２に導かれるようになっている。この吹出風路ｈ２を通流する空気は、左右風向板１８及び上下風向板１９によって所定方向に導かれ、さらに、空気吹出口ｈ３を介して室内に吹き出される。
【００２６】
図４は、空気調和機１００の冷媒回路Ｑを示す説明図である。
なお、図４の実線矢印は、暖房運転時における冷媒の流れを示している。
【００２７】
また、図４の破線矢印は、冷房運転時における冷媒の流れを示している。
【００２８】
図４に示すように、室外機３０は、圧縮機３１と、室外熱交換器３２と、室外ファン３３と、室外膨張弁３４（第１膨張弁）と、四方弁３５と、を備えている。
【００２９】
圧縮機３１は、圧縮機モータ３１ａの駆動によって、低温低圧のガス冷媒を圧縮し、高温高圧のガス冷媒として吐出する機器である。
室外熱交換器３２は、その伝熱管（図示せず）を通流する冷媒と、室外ファン３３から送り込まれる外気と、の間で熱交換が行われる熱交換器である。
【００３０】
室外ファン３３は、室外ファンモータ３３ａの駆動によって、室外熱交換器３２に外気を送り込むファンであり、室外熱交換器３２の付近に設置されている。
室外膨張弁３４は、「凝縮器」（室外熱交換器３２及び室内熱交換器１２の一方）で凝縮した冷媒を減圧する機能を有している。なお、室外膨張弁３４において減圧された冷媒は、「蒸発器」（室外熱交換器３２及び室内熱交換器１２の他方）に導かれる。
【００３１】
四方弁３５は、空気調和機１００の運転モードに応じて、冷媒の流路を切り替える弁である。すなわち、冷房運転時（破線矢印を参照）には、圧縮機３１、室外熱交換器３２（凝縮器）、室外膨張弁３４、及び室内熱交換器１２（蒸発器）が、四方弁３５を介して環状に順次接続されてなる冷媒回路Ｑにおいて、冷凍サイクルで冷媒が循環する。
【００３２】
また、暖房運転時（実線矢印を参照）には、圧縮機３１、室内熱交換器１２（凝縮器）、室外膨張弁３４、及び室外熱交換器３２（蒸発器）が、四方弁３５を介して環状に順次接続されてなる冷媒回路Ｑにおいて、冷凍サイクルで冷媒が循環する。
すなわち、圧縮機３１、「凝縮器」、室外膨張弁３４、及び「蒸発器」を順次に介して、冷凍サイクルで冷媒が循環する冷媒回路Ｑにおいて、前記した「凝縮器」及び「蒸発器」の一方は室外熱交換器３２であり、他方は室内熱交換器１２である。
【００３３】
図５は、空気調和機１００の機能ブロック図である。
図５に示す室内機１０は、前記した構成の他に、環境検出部２４と、室内制御回路２５と、を備えている。
【００３４】
環境検出部２４は、室内の状態や室内機１０の機器の状態を検出する機能を有し、図１、図２で記載した室内温度センサ２４ａと、湿度センサ２４ｂと、室内熱交換器温度センサ２４ｃと、を備えている。
室内温度センサ２４ａは、前述のように、室内の温度を検出するセンサであり、室内熱交換器１２からの熱輻射の影響の及びづらい位置、すなわちフィルタ１６（図３参照）よりも空気吸い込み側に設置されている。
【００３５】
湿度センサ２４ｂは、室内の空気の湿度を検出するセンサであり、室内機１０の所定位置に設置されている。
室内熱交換器温度センサ２４ｃは、室内熱交換器１２（図３参照）の温度を検出するセンサであり、室内熱交換器１２に設置されている。
【００３６】
室内温度センサ２４ａ、湿度センサ２４ｂ、及び室内熱交換器温度センサ２４ｃの検出値は、室内制御回路２５に出力される。
室内制御回路２５は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００３７】
室内制御回路２５は、記憶部２５ａと、室内制御部２５ｂと、を備えている。
記憶部２５ａには、所定のプログラムの他、環境検出部２４の検出結果、リモコン送受信部１１を介して受信したデータ等が記憶される。
【００３８】
室内制御部２５ｂは、記憶部２５ａに記憶されているデータに基づいて、所定の制御を実行する。なお、室内制御部２５ｂが実行する処理については後記する。
室外機３０は、前記した構成の他に、室外温度センサ３６と、室外制御回路３７と、を備えている。
【００３９】
室外温度センサ３６は、室外の温度（外気温）を検出するセンサであり、室外機３０の所定箇所に設置されている。なお、図５では省略しているが、室外機３０は、圧縮機３１（図３参照）の吸入温度、吐出温度、吐出圧力等を検出する各センサも備えている。室外温度センサ３６を含む各センサの検出値は、室外制御回路３７に出力される。
【００４０】
室外制御回路３７は、図示はしないが、ＣＰＵ、ＲＯＭ、ＲＡＭ、各種インタフェース等の電子回路を含んで構成され、室内制御回路２５と通信線を介して接続されている。図５に示すように、室外制御回路３７は、記憶部３７ａと、室外制御部３７ｂと、を備えている。
【００４１】
記憶部３７ａには、所定のプログラムの他、室外温度センサ３６を含む各センサの検出値等が記憶される。
室外制御部３７ｂは、記憶部３７ａに記憶されているデータに基づいて、圧縮機モータ３１ａ、室外ファンモータ３３ａ、室外膨張弁３４等を制御する。以下では、室内制御回路２５及び室外制御回路３７を「制御部Ｋ」という。
【００４２】
＜カビ抑制運転の方法＞
図６は、空気調和機１００の制御部Ｋが実行するカビ抑制運転のフローチャートである（適宜、図４、図５を参照）。なお、図６の「カビ抑制運転開始」時までは、冷房運転等が行われていたものとする。まず、制御部Ｋは、送風ファン１４だけを運転する第１送風運転を行うことが望ましい（ステップＳ１０１）。
【００４３】
第１送風運転を行う理由は以下である。「カビ抑制運転開始」時まで行われていた冷房運転等を停止し、暖房運転で室内熱交換器１２の温度を上昇させるとき（Ｓ１０３）、制御部Ｋは、冷房運転等時とは逆向きに冷媒が流れるように四方弁３５を制御する。ここで、冷媒の流れる向きを急に変えると、圧縮機３１に過負荷がかかり、冷凍サイクルの不安定化を招く可能性がある。また、冷房運転等で冷却された直後に室内熱交換器１２の温度を暖房運転で上昇させるより、室温に近づけてから上昇させる方が、エネルギー効率においても優れている。
以上の理由から、本実施形態では、冷凍サイクルを安定させ、かつ室内熱交換器１２を室温に近づけるために第１送風運転を行う。第１送風運転は、その開始から第１所定時間が経過し、第１送風運転終了予定時刻に達した後（ステップＳ１０２：Ｙｅｓ）、終了する。第１所定時間は、空気調和機１００の仕様に応じて適宜設定されるものとする。
【００４４】
第１送風運転の後、制御部Ｋは、暖房運転を開始する（ステップＳ１０３）。暖房運転において、制御部Ｋは、室内熱交換器１２の温度を４０℃以上の温度まで上昇させる。室内熱交換器１２をこのような温度とするため、カビ抑制運転時の暖房運転における圧縮機３１の吐出温度は、通常の暖房運転における圧縮機３１の吐出温度より高温であることが望ましい。暖房運転における圧縮機３１の吐出温度をこのようにすることで、カビ類の繁殖を効果的に抑制することができる。制御部Ｋは、室内熱交換器１２をこの温度で維持するように圧縮機３１の回転を制御する。
室温が所定の温度以上に上昇しない場合であれば（ステップＳ１０４：Ｎｏ）、制御部Ｋは、冷房運転等の停止から所定時間が経過して暖房終了予定時刻に到達したときに（ステップＳ１０５：Ｙｅｓ）、暖房運転を停止する。
【００４５】
暖房終了予定時刻は、冷房運転等の停止から所定時間が経過した時であり、つまり、本実施形態における該所定時間とは、カビ抑制運転時の第１送風運転および暖房運転の運転時間の合計である。この所定時間についても、空気調和機１００の仕様に応じて適宜設定されるが、前記所定時間の内の暖房運転の時間については、例えば１０分以上とすることができる。暖房運転停止後（ステップＳ１０５：Ｙｅｓ）、制御部Ｋは第２送風運転を開始する（ステップＳ１０７）。
【００４６】
ただし、室内機１０の設置された部屋が狭い場合等は、室内熱交換器１２の温度を維持するために圧縮機３１を回転させていても、室温が過度に上昇してしまうことがあり得る。よって、制御部Ｋは、室温が所定の温度に達した場合（ステップＳ１０４：Ｙｅｓ）、暖房終了予定時刻より前であっても暖房運転を途中で停止する。所定の温度とは、室内の使用者が不快感を覚え始める程度の温度である。所定の温度としては、出荷時の設定を用いても、リモコン４０によってユーザが入力した設定を用いてもよい。このように暖房運転を途中停止することにより、暖房運転により室内機１０内のカビの繁殖を抑制しつつ、使用者の不快感も低減させる事ができる。
【００４７】
暖房運転を途中で停止したとき、制御部Ｋは、暖房終了予定時刻より前から第２送風運転を開始することが望ましい。（ステップＳ１０６）。このように暖房終了予定時刻より前から第２送風運転を開始するのは、室温の過上昇により所定時間の暖房運転を行えなかった分だけ、第２送風運転を長く行うことが望ましいためである。つまり、暖房終了予定時刻より前にカビ抑制運転時の暖房運転を停止させた場合における第２送風運転（ステップＳ１０６）の運転時間を、暖房終了予定時刻に該暖房運転を停止させた場合における第２送風運転（ステップＳ１０７）の運転時間よりも長くすることが望ましい。このように暖房運転に代替する送風運転（暖房代替送風）を行うことで、暖房運転が本来行うべき時間よりも短縮され、途中で停止されていても、短縮された分だけ室内熱交換器１２の乾燥を十分に行い、カビ繁殖の抑制を図ることができる。
【００４８】
暖房運転後、室内機１０内の空気が、暖房運転で温度が上昇し、飽和水蒸気量が上昇した状態を維持されたまま循環されなかった場合は、室内機１０内は残った水分により絶対湿度が上昇した状態にある。この絶対湿度が上昇した状態で、室内機１０内の空気を循環させずに室内機１０内の温度を低下させると、室内機１０内の相対湿度が上昇してしまう。第２送風運転を行うことで、室内機１０内の空気を循環させながら、室内機１０内の相対湿度を上昇させることなく室内機１０内の温度を低下させ、室内機１０内を乾燥させることができる。また、第２送風運転は冷凍サイクルの安定化にも寄与する。これについては図７で後述する。
【００４９】
第２送風運転は、その開始から第２所定時間が経過し、第２送風運転終了予定時刻に達した後に終了する（ステップＳ１０８：Ｙｅｓ）。第２所定時間は、室内機１０内を十分乾燥し、冷凍サイクルを安定化できる程度に、空気調和機１００の仕様に応じて適宜設定することができ、例えば１５分程度に設定することができる。
【００５０】
図７は、空気調和機１００の制御部Ｋが実行するカビ抑制運転を示すタイムチャートである。図７は、被空調空間が十分に広く、カビ抑制運転時の暖房運転によって室温が所定の温度以上に上昇することのない正常系を示している。
図７の横軸は時刻を示し、縦軸は上から室内温度センサ２４ａの取得した室温、および、圧縮機３１のＯＮ／ＯＦＦ、膨張弁（室外膨張弁３４）の全開／制御、上下羽根（上下風向板１９）の開／閉、送風ファン１４のＯＮ／ＯＦＦの切り替えを示している。
【００５１】
図７に示す例では、冷房運転が時刻ｔ１まで行われており、圧縮機３１が駆動され、室外膨張弁３４が制御されている。時刻ｔ１〜第１送風運転終了予定時刻ｔ２において、送風１運転（第１送風運転）が行われており、圧縮機３１は停止され、室外膨張弁３４が全開にされ、送風ファン１４が駆動されている。（図６のステップＳ１０１）。
【００５２】
第１送風運転終了予定時刻ｔ２において第１送風運転が停止される。第１送風運転終了予定時刻ｔ２〜暖房終了予定時刻ｔ３において、暖房運転が行われており、圧縮機３１が駆動され、室外膨張弁３４が制御されている（図６のステップＳ１０３）。
暖房終了予定時刻ｔ３において、暖房運転が停止される。このとき、圧縮機３１は減速して停止されることが望ましい。暖房運転の停止時、圧縮機３１は、高温の冷媒で高圧になっている。高圧になっている圧縮機３１を急に停止させると大きな振動が発生し、圧縮機３１のみならずこれに接続されたパイプ類までをも傷める恐れがある。圧縮機３１を減速して停止させることにより、圧縮機３１とこれに接続された周辺の機器を保護することができる。
【００５３】
また、暖房運転を停止した後、暖房運転中は制御され絞られていた室外膨張弁３４を開くことが望ましい。この理由は以下である。すなわち、暖房運転終了時、室内機内の室内熱交換器１２等は熱された冷媒で高温になっている。このまま放置すると暖房運転終了後も室内熱交換器１２等の熱によって被空調空間の温度が上昇する。そこで、暖房運転終了後に膨張弁を開くことで、室外熱交換器３２の冷熱によって室内熱交換器１２等を冷ますことで、暖房運転終了後に室内熱交換器１２等の熱によって被空調空間の温度が上昇することを抑制することができる。
【００５４】
また、圧縮機３１が停止した後も、送風ファン１４は回転し続けていることが望ましく、暖房終了予定時刻ｔ３〜第２送風運転終了予定時刻ｔ４において、送風２運転（第２送風運転）が行われている（図６のステップＳ１０７）。このように圧縮機３１が停止した後も、送風ファン１４が回転し続けていることにより、前述のように高圧になっている室内熱交換器１２に熱交換を行わせ、冷媒の不均等をならし、冷凍サイクルを安定化させることができる。
【００５５】
送風ファン１４が回転している間、上下風向板１９は開いていることが望ましい。上下風向板１９が開いていることで、送風ファン１４による空気の吸込と吹出とが円滑になる。よって、冷房運転時においては、室内空気を十分に対流させて室内を迅速に冷却することができる。第１送風運転時においては、室内熱交換器１２の温度を迅速に室温に近づけることができる。第２送風運転時においては、暖房運転で温度が上昇し絶対湿度が上昇した状態にある室内機１０内において、室内機１０内の相対湿度を上昇させることなく室内機１０内の温度を低下させ、室内機１０内を乾燥させることができる。
【００５６】
ただし、暖房運転後に行う第２送風運転においては、温風が吹き出すおそれがあるため、上下風向板１９の開度は、第１送風運転時よりも小さくすることが望ましい。ただし、使用者に不快感を与えないのであれば、上下風向板１９の開度は、第１送風運転時と同程度でもよい。また、第２送風運転における上下風向板１９の角度は、使用者に温風を吹き付けない角度とすることが望ましく、例えば水平より上向きに設定することができる。
【００５７】
このように、本実施形態においては、一連のカビ抑制運転、つまり第１送風運転開始から第２送風運転終了までの時刻ｔ１〜第２送風運転終了予定時刻ｔ４の間、全ての運転を、上下風向板１９を開き、送風ファン１４を駆動して行う。カビ抑制運転時の暖房運転を、上下風向板１９を開き、送風ファン１４を駆動させて行う理由については、次の図８で述べる。
【００５８】
図８は暖房運転時の送風ファン１４の運転が室内熱交換器１２の温度に及ぼす影響を示すグラフである。縦軸は温度を、横軸は暖房運転時間を示している。
実線のグラフは送風ファン１４を運転（駆動）させたまま暖房運転を行った場合における、室内熱交換器１２の温度の時間的推移を示している。太い破線のグラフは送風ファン１４を停止させたまま暖房運転を行った場合における、室内熱交換器１２の温度の時間的推移を示している。細い破線はカビ抑制運転時の暖房運転における室内熱交換器１２の目標温度（所定の温度）を示している。
【００５９】
一見、送風ファン１４を停止させてカビ抑制運転時の暖房運転を行えば、暖房運転による室温上昇を抑制できるとも考えられる。しかし、図８の太い破線に示したように、送風ファン１４を停止させたまま暖房運転を行うと、室内熱交換器１２で熱交換が行われないため、室内熱交換器１２の圧力が過上昇し、温度も目標温度に対して過上昇してしまう。
【００６０】
カビ抑制のために必要なのは、室内熱交換器１２の過度な加熱ではなく、室内熱交換器１２を一定温度で維持することである。室内熱交換器１２の温度が短時間で目標温度より過上昇してしまうことは、カビ抑制のために不要なだけでなく、室温の過度な上昇を引き起こす。
【００６１】
以上のことから、カビ抑制運転における暖房運転は、送風ファン１４を回転させて行うことが望ましい。送風ファン１４を回転させて上記暖房運転を行うことで、室内熱交換器１２の過熱と室温の上昇を抑制することができる。暖房運転時の送風ファン１４は、室内の空気の対流を抑制するため、低回転で駆動させることが望ましい。このとき、上下風向板１９を開き、かつ、その開度は、第２送風運転時以下にすることが望ましい。ただし、使用者に不快感を与えないのであれば、上下風向板１９の開度は、第２送風運転時と同程度でもよい。上下風向板１９の開度を第２送風運転時以下にして開くことで、送風ファン１４を回転させつつ、室内の空気の対流を抑制することができる。また、上下風向板１９の角度は、使用者に温風を吹き付けない角度とすることが望ましく、例えば水平より上向きに設定することができる。
【００６２】
なお、上記のように上下風向板１９は開くことが望ましいが、これはあくまで送風ファン１４を回転させ、室内熱交換器１２に熱交換を行わせるための措置である。室内機１０の筐体の備える隙間の度合いによっては、上下風向板１９を閉じたまま送風ファン１４を回転させることで適切なカビ抑制運転時の暖房運転を行える場合もある。
【００６３】
上下風向板１９を開き、送風ファン１４を回転させて暖房運転を行うことで、室内熱交換器１２で熱交換を適切に実施し、室内熱交換器１２を過剰に熱するのではなく、所定の時間、目標温度を維持することができる。このようにして、室温を過度に上昇させることなく効果的にカビ抑制を行うことができる。
【００６４】
図９は、空気調和機１００の制御部Ｋが実行するカビ抑制運転を示すタイムチャートである。図９は、被空調空間が狭く、カビ抑制運転時の暖房運転によって室温が所定の温度以上に上昇してしまった異常系を示している。
【００６５】
図９の横軸は時刻を示し、縦軸は上から室内温度センサ２４ａの取得した室温、および、圧縮機３１のＯＮ／ＯＦＦ、膨張弁（室外膨張弁３４）の全開／制御、上下羽根（上下風向板１９）の開／閉、送風ファン１４のＯＮ／ＯＦＦの切り替えを示している。
【００６６】
図９に示す例では、冷房運転が時刻ｔ１まで行われており、圧縮機３１が駆動され、室外膨張弁３４が制御されている。
時刻ｔ１〜第１送風運転終了予定時刻ｔ２において、送風１運転（第１送風運転）が行われており、圧縮機３１が停止され、室外膨張弁３４が全開にされている。（図６のステップＳ１０１）。
【００６７】
第１送風運転終了予定時刻ｔ２において第１送風運転が停止される。第１送風運転終了予定時刻ｔ２〜時刻ｔ２ａにおいて、暖房運転が行われており、圧縮機３１が駆動され、室外膨張弁３４が制御されている（図６のステップＳ１０３）。
時刻ｔ２ａの時点で、室内温度センサ２４ａの測定した室温が制限以上（所定の温度以上）となってしまい（図６のステップＳ１０４：Ｙｅｓ）、暖房運転が停止される。時刻ｔ２ａ〜第２送風運転終了予定時刻ｔ４まで、送風２運転（第２送風運転）が行われる（図６のステップＳ１０６）。この第２送風運転の内、時刻ｔ２ａ〜暖房終了予定時刻ｔ３の間の運転が、図６で説明した暖房代替送風である。第２送風運転の間、圧縮機３１は停止され、室外膨張弁３４が全開にされている。
【００６８】
一連のカビ抑制運転、つまり第１送風運転開始から第２送風運転終了までの時刻ｔ１〜ｔ４の間、上下風向板１９は常に開いており、送風ファン１４は常に駆動している。
【００６９】
≪第２実施形態≫
【００７０】
図１０は、本発明の第２実施形態の空気調和機１００の制御部Ｋが実行するカビ抑制運転のフローチャートである（適宜、図４、図５を参照）。なお、第１実施形態と共通する内容については適宜省略して説明する。
ステップＳ１０１〜Ｓ１０２の第１送風運転については、第１実施形態（図６参照）と同様である。
【００７１】
第１送風運転の後、制御部Ｋは、暖房運転を開始する（ステップＳ２０３）。このとき本実施形態においては、制御部Ｋは、室内温度センサ２４ａによって、暖房開始時の室温を取得し、記憶しておく。
暖房運転において、制御部Ｋは、室内熱交換器１２の温度を４０℃以上の温度まで上昇させる。制御部Ｋは、室内熱交換器１２をこの温度で維持するように圧縮機３１の回転を制御し、室温と、ステップＳ２０３で取得した暖房開始時の室温との差が所定の値に達するまで室温が上昇しない場合であれば（ステップＳ２０４：Ｎｏ）、冷房運転等の停止から所定時間が経過して暖房終了予定時刻に到達したときに（ステップＳ１０５：Ｙｅｓ）、暖房運転を停止する。
【００７２】
暖房終了予定時刻より前であっても、制御部Ｋは、室温と、ステップＳ２０３で取得した暖房開始時の室温との差が所定の値に達した場合には（ステップＳ２０４：Ｙｅｓ）、暖房運転を途中で停止する。所定の値とは、室内の使用者が不快感を覚え始める程度の温度差である。所定の値（所定の温度差）としては、出荷時の設定を用いても、リモコン４０によってユーザが入力した設定を用いてもよい。
ステップＳ１０６〜Ｓ１０８の第２送風運転については、第１実施形態（図６参照）と同様である。
【００７３】
なお、各実施形態では、室内温度センサ２４ａで測定された室温を用いてカビ抑制運転時の暖房運転を制御する構成について説明したが、該暖房運転の制御のために、リモコン４０から送信された室温も用いてもよい。
【００７４】
また、各実施形態では、室内機１０（図３参照）および室外機３０（図３参照）が一台ずつ設けられる構成について説明したが、これに限らない。すなわち、並列接続された複数台の室内機を設けてもよいし、また、並列接続された複数台の室外機を設けてもよい。
【００７５】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
【００７６】
また、前記した機構や構成は説明上必要と考えられるものを示しており、製品上必ずしも全ての機構や構成を示しているとは限らない。
【符号の説明】
【００７７】
１００  空気調和機
１０    室内機
１２    室内熱交換器（蒸発器／凝縮器）
１４    送風ファン
１８    左右風向板
１９    上下風向板
２４ａ  室内温度センサ
３０    室外機
３１    圧縮機
３１ａ  圧縮機モータ（圧縮機のモータ）
３２    室外熱交換器（凝縮器／蒸発器）
３３    室外ファン
３４    室外膨張弁（第１膨張弁）
３５    四方弁
４０    リモコン
Ｋ      制御部
Ｑ      冷媒回路
【図１】
2020063903.tif 000003
【図２】
2020063903.tif 000004
【図３】
2020063903.tif 000005
【図４】
2020063903.tif 000006
【図５】
2020063903.tif 000007
【図６】
2020063903.tif 000008
【図７】
2020063903.tif 000009
【図８】
2020063903.tif 000010
【図９】
2020063903.tif 000011
【図１０】
2020063903.tif 000012